(57)【特許請求の範囲】
【請求項１】
インターネット上のデータベースを設けたサーバにユーザーごとのコーナーを設立して、専用のＩＤコードを入手し、電磁誘導式入力装置と接続された電子ペンあるいはタッチモニター、タブレット機能付きのパソコン、もしくは高機能携帯電話（スマートフォン）で作成した手書きデータを前記したサーバの各自のコーナーに送り、サーバは文字認識してテキストデータに自動変換し、その変換内容をチェックして、各ユーザーのパソコンに返送することとし、前記したテキスト化はカメラ、スキャナー、ファクシミリによる画像データも処理できることとし、前記したチェックは複数のオペレータのパソコンにデータを分散させて送り、ランダムなパートごとに実行され、その複数のチェック後のデータは定められた関係に基づいて統合されユーザーに返送されることとし、前記した画像データは枠で囲むことで情報が分けられテキスト化され、タグを付すことで整理を容易化する手書きデータの清書テキスト化方法において、前記した定められた関係は前記した専用ＩＤコードを基とし、前記したデータベースは依頼された手書きデータをキャッチャーし、そのキャッチャーした手書きデータの隣に入力ボックス（パート）を設け、手書きデータをなぞることで清書作業がなされ、自動的に統合され、清書されたテキストはローカルのデータベースへ登録され、清書の内容は自動反映されて、検索することも可能としてあることを特徴とする手書きデータの清書テキスト化方法。
【発明の詳細な説明】
【技術分野】
【０００１】
本発明は各種の手書きデータの清書テキスト化方法に関し、加えて写真をはじめとする画像データも併せてテキスト化することのできる手書きデータの清書テキスト化方法に関する。
【背景技術】
【０００２】
従来、手書きデータをテキストデータに変換することはサービス業の一つとして行われているが、この従来のシステムは手書き原本を入力センターに人的手段で配送したり、手書きのスキャンデータをメールやＦＴＰ送信によって入力センターに送り、その入力センターからテキスト化されたデータがクライアントに納品されるというものとなっている。
【０００３】
この従来のシステムでは、入力作業を人件費の安い中国や東南アジアで行っているのが現状で、個人データや取引情報資料の秘匿性に問題があり、テキスト化の正確性、速度にも問題がある。また、まとまった量がないと外注してもコスト的に見合わないため、受注は大手企業に限られてしまっている。
【先行技術文献】
【特許文献】
【０００４】
出願人は、本願発明について、先行する技術文献を調査したが、格別に本願発明と関連し、類似すると思われる文献は発見できなかった。
【発明の概要】
【発明が解決しようとする課題】
【０００５】
本願発明が解決しようとする問題点は、従来、個人や中小企業にあっても低コストで、しかもデータの秘匿性に優れ、処理時間も少なくて済むという手書きデータの清書テキスト化方法が存在していなかったという点である。
【課題を解決するための手段】
【０００６】
この問題点を解決するために、本願発明に係る手書きデータの清書テキスト化方法は、インターネット上のデータベースを設けたサーバにユーザーごとのコーナーを設立して、専用のＩＤコードを入手し、電磁誘導式入力装置と接続された電子ペンあるいはタッチモニター、タブレット機能付きのパソコン、もしくは高機能携帯電話（スマートフォン）で作成した手書きデータを前記したサーバの各自のコーナーに送り、サーバは文字認識してテキストデータに自動変換し、その変換内容をチェックして、各ユーザーのパソコンに返送することとし、前記したテキスト化はカメラ、スキャナー、ファクシミリによる画像データも処理できることとし、前記したチェックは複数のオペレータのパソコンにデータを分散させて送り、ランダムなパートごとに実行され、その複数のチェック後のデータは定められた関係に基づいて統合されユーザーに返送されることとし、前記した画像データは枠で囲むことで情報が分けられテキスト化され、タグを付すことで整理を容易化する手書きデータの清書テキスト化方法において、前記した定められた関係は前記した専用ＩＤコードを基とし、前記したデータベースは依頼された手書きデータをキャッチャーし、そのキャッチャーした手書きデータの隣に入力ボックス（パート）を設け、手書きデータをなぞることで清書作業がなされ、自動的に統合され、清書されたテキストはローカルのデータベースへ登録され、清書の内容は自動反映されて、検索することも可能としてあることを特徴としている。
【発明の効果】
【０００８】
本願に係る手書きデータの清書テキスト化方法は上記のように構成されている。そのため、サーバにあって自動的に手書きデータを文字認識して変換するので経費もかからず、スピードがアップする。また、その変換内容のチェックはチェックオペレータのパソコンに、ランダムに分散されたデータが送られるため、内容の秘匿性が十分に保持できる。
【０００９】
加えて、カメラやスキャナー、ファクシミリによる画像データに対してもテキスト化処理できるので、複数の情報を１ページにまとめることも可能となる。
【図面の簡単な説明】
【００１０】
【図１】本願発明を示すイメージ概要図である。
【発明を実施するための形態】
【００１１】
図面として示し、実施例で説明したように構成したことで実現した。
【実施例１】
【００１２】
次に、本発明の好ましい実施の一例を図面を参照して説明する。図中１はユーザー（クライアント）の端末を示している。この端末１は図にあっては一般的なパソコンを示しているが、その他に携帯電話、高機能携帯電話（スマートフォン）も利用可能で、インターネットに接続可能なものであればよい。
【００１３】
また、図中２はインターネット４上のサーバを示しており、このサーバにはデータベース３が設けられており、ユーザーはこのサーバ２に自己のコーナーを設立し、専用のＩＤコードを入手する。
【００１４】
ユーザーはインターネット４を介して、端末１からサーバ２に手書きデータをイメージファイル（マスクされたデータ）として送付する。このデータ送付は手書き文書のほか、カメラやスキャナーのデータをメールサーバ５を介して、またファクシミリによって画像を直接的に送ることができ、送られたデータはデータベース３に登録（格納）される。この画像データには、例えば名刺、カタログや書籍画像等も含まれる。
【００１５】
端末１から手書きデータを送信する場合、一般的なパソコンでは電磁誘導式入力装置と接続された電子ペンを使用する。この電子ペンによる電磁誘導式入力装置との接触で発生する電磁波によって筆記点の座標位置を連続的に捉え、筆記点の軌跡から筆記された文字、数字、記号、図形を判断することで文字等を認識する。尚、この文字の認識と自動変換には、筆順や文脈も加味して判断される。これは、高機能携帯電話等による指先での手書きデータにも応用される。
【００１６】
画像データは、枠で囲んでテキスト化される。そのため、写真等をはじめ、単一ごと、あるいは部分的にもテキスト化することも可能となり、情報を任意に分けることができ、後にチェックオペレータがその画像データ情報を、指定した位置に出力させることができる。また、その各画像データごとにタグを付して整理することができる。
【００１７】
一方、図中６はチェックオペレータ用の端末を示している。図にあってはこの端末６を一台示しているが、実際は多数の端末６、６‥が各チェックオペレータの作業場所に設置される。チェックオペレータは各自の端末６からサーバ２にログインし、データベース３より参照された一覧リストから、清書依頼データを選択する。この一覧リストは、前記したように、複数のユーザー（クライアント）からの清書依頼データをランダムに分散させ作成されたものとなっているので、チェックオペレータが選択したデータのみでは依頼データの全貌は不明となる。
【００１８】
データを選択し、入力して、手書きデータを自動的に文字変換した内容をチェックし、誤り箇所を修正して完了通知をインターネット４を介して送信する。ランダムに分散されたデータはユーザーのＩＤ等を基として自動的に結合され、清書されたテキストとして完成され、ユーザーの端末へ返送され、これをローカルのデータベースへ登録（格納）する。この登録された清書の内容は自動反映されて、検索することも可能となる。
【００１９】
尚、データベース３にあっては、依頼された手書きデータをキャッチャーし、そのキャッチャーした手書きデータの隣に入力ボックス（パート）を設け、手書きデータをなぞることで清書作業がなされる。そのため、通常の文字（漢字、平仮名、片仮名）に加え、アルファベットや数字、記号、図形も精度よく再現していくことができる。
【００２０】
本実施例に係る手書きデータの清書テキスト化方法は上記のように構成されている。そのため、対応できるユーザー端末も多様となり、依頼から完成までの時間が少なくて済み、コストも従来に比べ大幅にダウンさせることができる。加えて、チェックがデータをランダムに分散させ、パートごとに行って、その後自動的に結合させるため、内容の秘匿性に非常に優れたものとなっている。
【符号の説明】
【００２１】
１    端末
２    サーバ
３    データベース
４    インターネット
５    メールサーバ
６    オペレータ端末
【図１】
0005371926.tif 000002